(57)【要約】【課題】容器を完全に密閉し得るようにした容器のスナップオンキャップを提供する。【解決手段】容器本体（１）の口部（５）外周面（５ａ）には複数の突起（７）を水平方向の位置を揃えた状態で周設し、キャップ（３）の内周面（３ａ）には水平方向の突条環（１１）を形成してなるスナップオンキャップにおいて、該キャップの天板部（１３）内面にシール材（１５）を固着し、前記容器本体の突起（７）とキャップの突条環（１１）は、該キャップの突条環（１１）が上方から容器本体の突起（７）を弾性的に乗り越えたときに該キャップの突条環（１１）が容器本体の突条（７）により下方に押されることにより容器本体の口部上縁（９）が該キャップにおける天板部内面のシール材（１５）に圧接するように、配設したことを特徴とする容器のスナップオンキャップ。【選択図】図１
0003103950.tif 000002
【実用新案登録請求の範囲】
【請求項１】
容器本体の口部外周面には複数の突起を水平方向の位置を揃えた状態で周設し、キャップの内周面には水平方向の突条環を形成してなるスナップオンキャップにおいて、
該キャップの天板部内面にシール材を固着し、
前記容器本体の突起とキャップの突条環は、該キャップの突条環が上方から容器本体の突起を弾性的に乗り越えたときに該キャップの突条環が容器本体の突条により下方に押されることにより容器本体の口部上縁が該キャップにおける天板部内面のシール材に圧接するように、配設したことを特徴とする容器のスナップオンキャップ。
【考案の詳細な説明】
【技術分野】
【０００１】
本考案は、容器のスナップオンキャップに関するものであり、更に詳しくは、茶、海苔、煎餅等の湿気を嫌う商品等を収容する金属缶等の容器のスナップオンキャップに係るものである。
【背景技術】
【０００２】
キャップを容器本体の口部に押圧するだけでキャップを容器本体の口部に嵌着させるようにしたスナップオンキャップとしては、例えば実開平１−１３０９５８号公報に示すように、容器本体の口部外周面には複数の突起を水平方向の位置を揃えた状態で周設し、キャップの内周面には水平方向の突条環を形成してなるものが既に知られている。
【特許文献１】実開平１−１３０９５８号公報
【考案の開示】
【考案が解決しようとする課題】
【０００３】
しかるに、上記従来の容器のスナップオンキャップは、キャップ内周面における水平方向の突条環を容器本体の口部外周面における複数の突起に係止させるに過ぎないものであるため、キャップを容器本体の口部に押圧するだけでキャップを容器本体の口部に嵌着させることはできるものの、容器を密閉することができないという問題がある。従って、上記従来の容器のスナップオンキャップは、茶、海苔、煎餅等の湿気を嫌う商品等を収容するに適したものではない。
【０００４】
本考案は、上記従来の容器のスナップオンキャップにおける上述の如き問題を解決し、容器を完全に密閉し得るようにした容器のスナップオンキャップを提供しようとしてなされたものである。
【課題を解決するための手段】
【０００５】
上記課題を解決するために、本考案は下記の如き容器のスナップオンキャップを提供する。
【０００６】
容器本体の口部外周面には複数の突起を水平方向の位置を揃えた状態で周設し、キャップの内周面には水平方向の突条環を形成してなるスナップオンキャップにおいて、
該キャップの天板部内面にシール材を固着し、
前記容器本体の突起とキャップの突条環は、該キャップの突条環が上方から容器本体の突起を弾性的に乗り越えたときに該キャップの突条環が容器本体の突条により下方に押されることにより容器本体の口部上縁が該キャップにおける天板部内面のシール材に圧接するように、配設したことを特徴とする容器のスナップオンキャップ。
【０００７】
［考案の作用］
キャップを容器本体の口部に嵌める際には、該キャップを容器本体の口部に押圧すればよい。しかるときは、キャップの突条環が上方から容器本体の口部外周面における突起を弾性的に乗り越え、キャップの突条環が容器本体の突条により下方に押される。キャップの突条環が下方に押されることにより、キャップが下方に強力に引かれる。その結果、容器本体の口部上縁が該キャップにおける天板部内面のシール材に強力に圧接する。従って、容器は完全に密閉される。なお、キャップを容器本体の口部に嵌めたときには、該容器を上下反転させても、キャップが自重により容器本体から外れることはない。
【０００８】
容器本体の口部に嵌着されたキャップを外す際には、該キャップを容器本体の口部から上方に引き離せばよい。しかるときは、キャップの突条環は容器本体の口部外周面における突起を弾性的に乗り越え、キャップは容器から外れる。
【０００９】
キャップを容器本体の口部に嵌める際にも、キャップを容器本体の口部から外す際にも、キャップを容器本体に対して回転ないし回動させる必要はない。
【考案の効果】
【００１０】
本考案によれば、キャップを容器本体の口部に押圧するだけでキャップを容器本体の口部に嵌着させることができるというスナップオンキャップの利点を保持しつつ、キャップを容器本体の口部に嵌めることにより容器を密閉することができる。従って、本考案による容器のスナップオンキャップは、茶、海苔、煎餅等の湿気を嫌う商品等を収容するに適したものである。
【考案を実施するための最良の形態】
【００１１】
符号１に示すものは金属缶等の容器本体、符号３に示すものはキャップである。
【００１２】
容器本体１の口部５外周面５ａには複数の突起７を水平方向の位置を揃えた状態で周設する。即ち、複数の突起７は、図１における上下方向の位置が同一になるように配設する。換言すれば、複数の突起７は、容器本体１における口部５の上縁９からの距離が同一になるように配設する。図示の事例においては、容器本体１の口部５外周面５ａに３個の突起７が等角度間隔で形成されている。また、各突起７は、図１の点線に示す如く、傾斜させることなく、水平に形成されている。
【００１３】
キャップ３の内周面３ａには水平方向の突条環１１を形成する。図示の事例においては、突条環１１はキャップ３の下縁に形成されている。
【００１４】
しかして、本考案においては、キャップ３の天板部１３内面（下面）にシール材１５を固着する。シール材１５は、一例として、弾性を有する柔軟な材料により形成する。シール材１５はポリエチレン製であってもよい。
【００１５】
キャップ３の突条環１１と容器本体１の口部５外周面５ａにおける突起７との位置関係は、キャップ３の突条環１１が上方から容器本体１の口部５外周面５ａにおける突起７を弾性的に乗り越えたときに該キャップ３の突条環１１が容器本体１の突条７により下方に押されることにより容器本体１の口部５上縁９が該キャップ３における天板部１３内面のシール材１５に圧接するようになす。
【００１６】
キャップ３を容器本体１の口部５に嵌めたときには、キャップ３の外周面３ｂは容器本体１の外周面１ａと同一面上に位置するようになすことが望ましい。
【図面の簡単な説明】
【００１７】
【図１】キャップが容器本体から外れている状態を示す断面図である。
【図２】キャップが容器本体に嵌まっている状態を示す断面図である。
【図３】容器の平面図である。
【図４】キャップの底面図である。
【符号の説明】
【００１８】
１  容器本体
１ａ  外周面
３  キャップ
３ａ  内周面
３ｂ  外周面
５  口部
５ａ  外周面
７  突起
９  上縁
１１  突条環
１３  天板部
１５  シール材
【図１】
0003103950.tif 000003
【図２】
0003103950.tif 000004
【図３】
0003103950.tif 000005
【図４】
0003103950.tif 000006